(57)【要約】【課題】無線通信装置の画面表示機能が動作しないときであっても、ユーザが、当該無線通信装置の状態を把握できるようにする。【解決手段】無線通信を行う無線通信装置１０において、専用の操作部１５ａが操作されると、当該無線通信装置１０の状態を報知する報知部を備えて構成する。これにより、無線通信装置１０の画面表示機能が動作しないときであっても、ユーザは専用の操作部１５ａを操作することにより、無線通信装置１０の状態を確実に把握できる。【選択図】図３
2010153996.tif 000002
【特許請求の範囲】
【請求項１】
無線通信を行う無線通信装置であって、
専用の操作部が操作されると当該無線通信装置の状態を報知する報知部を備えたことを特徴とする、無線通信装置。
【請求項２】
表示部と、
前記表示部の異常を検出する検出部とを備え、
前記報知部は、前記検出部によって前記表示部の異常が検出された場合は当該無線通信装置の状態報知を実行し、前記検出部によって前記表示部の異常が未検出である場合は当該無線通信装置の状態報知の実行を抑止することを特徴とする、請求項１記載の無線通信装置。
【請求項３】
音を出力する出力部と、
前記出力部からの出力音を制御する制御部とを備え、
前記報知部は、前記制御部によって前記出力部からの出力音が制限された状態であっても、前記専用の操作部の操作に応じて当該無線通信装置の状態を報知することを特徴とする、請求項１又は請求項２記載の無線通信装置。
【請求項４】
前記報知部は、前記専用の操作部の操作態様に応じて報知内容を変更することを特徴とする、請求項１〜３のいずれか１項に記載の無線通信装置。
【発明の詳細な説明】
【技術分野】
【０００１】
本発明は無線通信装置に関し、特に無線通信装置において当該無線通信装置の状態を報知する技術に関する。
【背景技術】
【０００２】
近年、携帯電話や自営系無線通信システムの無線通信端末などの無線通信装置は、高機能化に伴って表示画面が大きくなっている。これら無線通信装置では、表示画面を大きくし、ＧＵＩ（Graphical User Interface）等を用いることによって、使い易さを向上している。
また、従来の無線通信装置は、例えば図８（ａ）〜（ｄ）に示すような無線通信装置の状態を示すアイコン１００〜１０３を表示画面に表示している。
【０００３】
図８（ａ）の電池アイコン１００は、無線通信装置の電池残量を表示するものである。また、図８（ｂ）のアンテナアイコン１０１は、基地局からの電波の受信状況を表示するものである。さらに、図８（ｃ）の圏外アイコン１０２は、基地局からの電波が受信できない状況を表示するものである。また、図８（ｄ）の直接通信アイコン１０３は、他の無線通信装置と基地局を介さずに直接無線通信する直接通信モードであることを表示するものである。
【０００４】
なお、従来から無線通信端末が圏外又は圏内に移動したときに、その旨をユーザに通知する技術がある（例えば、下記特許文献１参照）。
【特許文献１】特開平１１−１２２６４９号公報
【発明の開示】
【発明が解決しようとする課題】
【０００５】
しかしながら、従来の無線通信装置は、表示画面が故障したり破損したりすると、図８（ａ）〜（ｄ）に示したアイコン１００〜１０３等が見られなくなり、ユーザは無線通信装置の状態を把握することができなくなってしまう。
特に、業務連絡用途、災害緊急連絡用途などの目的で用いられる防災無線システム（例えば、社団法人電波産業会が策定したARIB STD-T79都道府県・市町村デジタル移動通信システム）では、いざという有事の際に使用できることが肝要である。
【０００６】
しかし、防災無線システムには、通常の基地局通信モードに加えて、端末間の直接通信モード等、複数の通信モードが存在しており、通信モード毎に操作内容や接続可能な通信相手が変わる。
従って、無線通信装置の表示画面が壊れると、ユーザは圏外／圏内やバッテリ残量の情報に加えて現在の通信モード等も把握できず、当該無線通信装置の操作方法を覚えていたとしても、当該無線通信装置を正確に操作することは極めて困難になってしまう。
【０００７】
また、防災無線システムは、非常時に多用されるので、普段使い慣れていない役所の職員や民間人が使用することが想定され、その場合には表示画面が壊れて無線通信装置の状態が把握できない弊害はより大きくなってしまう。
なお、上記特許文献１の技術は、圏外または圏内への状態変化を通知するものであるので、自動通知を聞いていないユーザは、表示画面が壊れてしまうと現在の無線通信装置の状態を知ることができない。
【０００８】
従って、本発明は上記した課題を解決し、画面表示機能が動作しないときであっても、ユーザが無線通信装置の状態を把握できるようにすることを目的とする。
【課題を解決するための手段】
【０００９】
上記した課題を解決するため、本発明に係る無線通信装置は、専用の操作部が操作されると当該無線通信装置の状態を報知する報知部を備えたことを特徴としている。
また、本発明に係る無線通信装置は、表示部と、当該表示部の異常を検出する検出部とを備え、前記報知部は、前記検出部によって前記表示部の異常が検出された場合は当該無線通信装置の状態報知を実行し、前記検出部によって前記表示部の異常が未検出である場合は当該無線通信装置の状態報知の実行を抑止することが好ましい。
【００１０】
さらに、本発明に係る無線通信装置は、音を出力する出力部と、当該出力部からの出力音を制御する制御部とを備え、前記報知部は、前記制御部によって前記出力部からの出力音が制限された状態であっても、前記専用の操作部の操作に応じて当該無線通信装置の状態を報知することが好ましい。
なお、前記報知部は、前記専用の操作部の操作態様に応じて報知内容を変更することが好ましい。
【発明の効果】
【００１１】
本発明に係る無線通信装置によれば、専用の操作部が操作されると当該無線通信装置の状態が報知されるので、当該無線通信装置のユーザは、画面表示機能が動作しないときであっても、無線通信装置の状態を確実に把握できる。
【発明を実施するための最良の形態】
【００１２】
以下、図面を参照しながら本発明の実施の形態について説明する。 
〔１〕本発明の一実施形態について 
まず、本発明の一実施形態としての無線通信装置（以下、本無線通信装置という）の詳細を説明する前に、本無線通信装置が適用される無線通信システムの一例を、図１を参照しながら説明する。 
【００１３】
図１に示す無線通信システム１は、例えばARIB STD-T79に規定された都道府県・市町村デジタル移動通信システムであり、無線通信方式としてＴＤＭＡ（Time Division Multiple Access）方式を採用している。 
無線通信システム１は、統制局２と、複数（ここでは２つ）の基地局３−１，３−２と、複数の移動局４−１〜４−１０と、半固定局５と、固定局６とから構成されている。 
【００１４】
統制局２は都道府県または市町村の機関に設備される局であって、回線接続を制御する回線制御装置２ａと、地上回線［例えば、ＰＳＴＮ（Public Switched Telephone Networks）や内線電話網］と移動無線回線との接続制御を行うＰＢＸ（Private Branch eXchange）２ｂと、通信統制を行う統制台２ｃとを備えている。 
基地局３−１，３−２は、統制局２の回線制御装置２ａに接続され、当該基地局ゾーン（通信ゾーン又は通信エリアともいう）内の移動局４−１〜４−１０，半固定局５，固定局６（以下、これらをまとめて移動局等という）との無線通信、あるいは、移動局等の間の無線中継を行うものであり、無線装置３ａ及び制御装置３ｂを備えている。 
【００１５】
なお、移動局等は、基地局３−１を介さずに無線通信を行う移動局間直接通信を行うことができる。 
そして、本発明の無線通信装置は、図１に示す移動局４−１〜４−１０，半固定局５，固定局６であり、携帯型、固定型、半固定型、車載型のいずれであってもよく、後述する図３に示す構成を備えていればよい。 
【００１６】
本無線通信システム１において、移動局４−１〜４−１０等の無線通信装置の通信モードは、基地局３−１，３−２を介して他の装置と無線通信を行う基地局通信モードと、基地局３−１，３−２を介さずに他の無線通信装置と直接無線通信を行う移動局間直接通信モードとに大別される。
さらに、本無線通信システム１において、無線通信装置は、図２に示す８つの通信態様を取り得る。つまり、無線通信装置は、一斉通信着呼，統制通信着呼，緊急連絡発呼，専用チャネル（ｃｈ）通信，個別通信，グループ通信，非音声通信を行うことができる。なお、これら８つの態様それぞれの詳細は図２に示す通りである。
【００１７】
図３は本発明の一実施形態としての無線通信装置の機能構成を示すブロック図である。この図３に示すように、本無線通信装置１０は、アンテナ１１，無線部１２，信号処理部１３，ＭＰＵ（Micro Processing Unit；検出部，制御部）１４，操作部１５，ＰＬＤ（Programmable Logic Device）１６，ＡＩＵ（Audio Interface Unit）１７，スピーカ（出力部）１８，マイク１９，ＬＣＤ（Liquid Crystal Display；表示部）２０，ドライバ２１，電流監視部（検出部）２２，記憶部２３，及び電池残量検出部２４を備えている。 
【００１８】
無線部１２はアンテナ１１を介して他の無線通信装置と無線通信を行うものである。なお、上述の通り、無線部１２はＴＤＭＡ方式の無線通信を行う。 
信号処理部１３は、無線部１２とＭＰＵ１４との間に介装され、例えば、無線部１２が受信した信号をＭＰＵ１４が認識できる信号に変換するとともに、ＭＰＵ１４からの信号を無線部１２が送信するための信号に変換する。 
【００１９】
ＭＰＵ１４は、本無線通信装置１０全体を制御するものである。例えば、ＭＰＵ１４はＡＩＵ１７及びスピーカ１８を制御して信号処理部１３から入力された信号に基づく音声等をスピーカ１８から出力させる。また、ＭＰＵ１４は信号処理部１３及び無線部１２を制御してマイク１９から入力された音声等を、アンテナ１１を介して電波として出力させる。 
【００２０】
さらに、ＭＰＵ１４は、ＬＣＤ２０の表示内容を制御すべく、ＬＣＤ２０を直接制御するドライバ２１に対して表示指示を行う。そして、ＭＰＵ１４はドライバ２１に対する表示制御に係るリードライトができない場合には、ＬＣＤ２０が故障したと判断して、ＬＣＤ２０の異常を検出する検出部としても機能する。
操作部１５は、例えば本無線通信装置１０のユーザが操作する操作キーである。 
【００２１】
ここで、図４に本無線通信装置１０の外観斜視図の一例を示す。図４に示すように、操作部１５は、テンキーやオンフックボタン、オフフックボタン、クリアボタン，十字キー，決定キー、プレスボタン、その他の機能キー等である。 なお、無線通信装置１０は、操作スイッチ２５やアンテナコネクタ２６を備えている。
そして、本無線通信装置１０は、当該無線通信装置１０の状態を報知させるためだけに使用する専用ボタン（専用の操作部）１５ａを備えている。後述する図７のフローチャートの説明部分にて詳細に説明するが、本無線通信装置１０は、専用ボタン１５ａがユーザによって操作されると、ＭＰＵ１４がスピーカ１８に本無線通信装置１０の状態（無線状態や電池残量等）を音で報知させるように構成されている。 
【００２２】
また、図４に示すように、専用ボタン１５ａは、他のボタンのように本無線通信装置１０の表面から突出して設けられておらず、本無線通信装置１０の表面（ここでは左側面）に対して凹んで設けられている。つまり、専用ボタン１５ａは、その表面が本無線通信装置１０の表面（ここでは左側面）よりも本無線通信装置１０の内側に凹むように設けられている。 
【００２３】
これにより、ユーザは専用ボタン１５ａ部分を本無線通信装置１０の内側に意識して押し込むように操作しなければ専用ボタン１５ａを操作できず、専用ボタン１５ａの誤操作を防止できるようになっている。
ＰＬＤ１６は、操作部１５の各ボタンや各キー等の操作をＭＰＵ１４に入力するものであり、例えば、専用ボタン１５ａが操作されると、専用ボタン１５ａが操作されたことをＭＰＵ１４に通知する。 
【００２４】
ＡＩＵ１７は、ＭＰＵ１４と、スピーカ１８及びマイク１９との間に介装され、これらスピーカ１８やマイク１９のインターフェースとして機能するものである。ＡＩＵ１７は、例えばデジタルアナログコンバータ（図示せず）やフィルタ回路（図示せず）やアンプ（図示せず）を備え、スピーカ１８から音を出力するためにＭＰＵ１４からの信号を変換する。 
【００２５】
スピーカ１８は、音を出力するものである。なお、スピーカ１８はレシーバとして機能してもよい。 
マイク１９は、音を本無線通信装置１０に入力するものである。 
なお、本実施形態において、ＭＰＵ１４，ＡＩＵ１７，及びスピーカ１８が、専用ボタン１５ａを操作されると本無線通信装置１０の状態を報知する報知部として機能する。 
【００２６】
ここで、本発明において無線通信装置１０の状態とは、通信モード［後述する図５（ａ）参照］，圏内／圏外（同期状態），電池残量，常設番号，電話帳の内容等を言うが、本発明はこれらに限定されるものではなく、無線通信装置１０の状態に関するものであればよい。
また、スピーカ１８からの報知方法は音声であってもビープ音であってもよい。
【００２７】
ここで、図５（ａ）〜（ｃ）に報知部による報知内容例を示す。即ち、記憶部２３には、図５（ａ）〜（ｃ）に示す通信モード、同期状態、電池残量の各条件に対応した報知内容が保持されている。
図５（ａ）に示すように、通信モードについては、報知部は現在の通信モードを報知する。なお、ここでは常設発信に係わるものを対象とする。
【００２８】
具体的には、報知部は、基地局通信モードであり、且つ、折返し運用中及び専用ｃｈ通信以外の場合には、「基地局通信モード」という音声を報知する。
また、報知部は、直接通信の自動の場合、「直接通信自動モード」という音声を報知し、直接通信の手動の場合、「直接通信手動モード」という音声を報知する。
さらに、報知部は、基地局通信の専用ｃｈ通信中の場合、「専用通信モード」という音声を報知し、基地局通信で折返し運用中の場合、「折返し通信モード」という音声を報知する。
【００２９】
本無線通信装置１０において、これらの通信モードはＭＰＵ１４の一部機能あるいは専用の制御部（図示せず）が制御しており、ＭＰＵ１４はその制御部分から現在の通信モードを読み出すように構成されている。なお、通信モードの切り替えはユーザが操作部１５を操作することによって行われる。
また、図５（ｂ）に示すように、圏内／圏外に係る基地局同期状態については、報知部は、直接通信モードの場合は何も報知せず、基地局通信モードの場合に圏内又は圏外を報知する。
【００３０】
具体的には、報知部は、基地局通信モード（専用ｃｈ通信時及び折返し運用時も含む）で圏内の場合、「圏内」という音声を報知し、基地局通信モード（専用ｃｈ通信時及び折返し運用時も含む）で圏外の場合、「圏外」という音声を報知する。
一方、報知部は、直接通信モード（自動及び手動）の場合には何も報知しない。
なお、本無線通信装置１０において、圏内／圏外の電波状態（基地局同期状態）は、ＭＰＵ１４が無線部１２から取得する。
【００３１】
また、図５（ｃ）に示すように、電池残量については、電池残量検出部２４によって検出された電池レベルに応じた内容を報知する。
具体的には、報知部は、電池残量検出部２４によって電池レベル４と検出された場合には、「電池残量３」という音声を報知し、電池残量検出部２４によって電池レベル３と検出された場合には、「電池残量２」という音声を報知し、電池残量検出部２４によって電池レベル２と検出された場合には、「電池残量１」という音声を報知し、電池残量検出部２４によって電池レベル１と検出された場合には、「電池残量０」という音声を報知する、。
【００３２】
また、報知部は、本無線通信装置１が車載型や固定型等であって電池ではなく電源で駆動するものである場合には、電池レベルについて報知しない。
なお、報知部による報知内容の常設番号とは、例えばオフフックボタンを操作すると発呼される番号をいう。報知部が常設番号を発呼する場合はその番号とその番号の相手先名称とを音声として報知する。
【００３３】
また、報知部が電話帳の内容を報知する場合は、相手先名称とその相手先の番号とを順次報知する。本無線通信装置１が用いる番号は４，５桁程度であるため、ユーザは音声で番号を報知されても、その番号を比較的容易に記憶できる。従って、ユーザは音声で番号をガイダンスされることにより所望の相手に発呼することができる。
ＬＣＤ２０は、表示画面であり、ドライバ２１に制御され、上記図８に示したアイコン１００〜１０３や、電話番号や電話帳の内容等の各種情報を表示するものである。
【００３４】
ドライバ２１は、ＭＰＵ１４からの指示に応じてＬＣＤ２０の表示制御を行うものである。なお、ドライバ２１はＬＣＤ２０のモジュールに内臓であってもよいし、外付けであってもよい。
電流監視部２２は、ＬＣＤ２０内の電流を監視してＬＣＤ２０の異常を検出するものである。電流監視部２２には、基準値（図中“Reg.”と表記；例えば基準電流や基準電圧）が入力されており、電流監視部２２は基準値とＬＣＤ２０内の電流値とを比較することによりＬＣＤ２０の異常を検出し、異常を検出するとＭＰＵ１４へ通知する。なお、電流監視部２２には複数の基準値が入力されていてもよいし、電流値ではなく電圧値に基づいてＬＣＤ２０の異常を検出してもよい。
【００３５】
ここで、図６に示すフローチャート（ステップＳ１〜Ｓ６）を参照しながら、本無線通信装置１０のＬＣＤ２０の異常検出手順について説明する。
まず、電流監視部２２が電流監視を行い（ステップＳ１）、ＬＣＤ２０内の電流値が正常であるか否かを判断する（ステップＳ２）。
つまり、電流監視部２２は基準値に基づいてＬＣＤ２０に電流が流れ過ぎていないか、あるいは、電流が流れていないかを判定する。
【００３６】
ここで、ＬＣＤ２０内の電流値が異常であった場合（ステップＳ２のＮｏルート）、電流監視部２２はＬＣＤ２０の異常検出をＭＰＵ１４に通知し、ＭＰＵ１４はＬＣＤ２０が故障していると判断する（ステップＳ３）。
一方、ＬＣＤ２０内の電流値が正常であった場合（ステップＳ２のＹｅｓルート）、ＭＰＵ１４は、通常通りドライバ２１にアクセスして表示指示等を行うとともに（ステップＳ４）、ドライバ２１が正常に動作しているか否かを判定する（ステップＳ５）。
【００３７】
ここで、ＭＰＵ１４がリードライトできない等、ドライバ２１が異常であると判断すると（ステップＳ５のＮｏルート）、ＭＰＵ１４はＬＣＤ２０が故障していると判断する（ステップＳ３）。
一方、ＭＰＵ１４はドライバ２１が正常であると判断すると（ステップＳ５のＹｅｓルート）、そのまま表示処理を行ない（ステップＳ６）、処理を終了する。
【００３８】
このように、本無線通信装置１０において、ＭＰＵ１４及び電流監視部２２はそれぞれＬＣＤ２０の異常を検出する検出部として機能する。
また、図３に示すように、記憶部２３は、各種情報を保持するものであり、電話帳の情報や、本無線通信装置１０の情報を報知するための音声データ［ＰＣＭ（Pulse Code Modulation）データやリニアデータ］や、ビープ音に関する情報等を保持している。
【００３９】
具体的には、記憶部２３は、音声データやビープ音を、無線通信装置１０の状態に対応させて保予め持している。
電池残量検出部２４は、本無線通信装置１０の電池（バッテリ）の残量を検出するものである。ここでは、上記図５（ｃ）の説明部分で詳述したように、電池残量検出部２４は電池残量を４段階のレベル（ここでは電池レベル４〜１）で検出する。
【００４０】
なお、電池残量検出部２４は周期的に電池残量を検出してもよいし、ＭＰＵ１４からの指示に応じて電池残量を検出してもよい。
また、電池残量検出部２４によって検出された電池レベルはＭＰＵ１４の内臓メモリ（図示せず）や記憶部２３等に保持される。
【００４１】
図７は本無線通信装置１０における状態報知の動作手順の一例を示すフローチャート（ステップＳ１０〜Ｓ１５）である。
図７に示すように、本無線通信装置１０の起動中、ＭＰＵ１４はＰＬＤ１６からの専用ボタン１５ａが操作された旨の通知を待ち受けるキー監視を行っている（ステップＳ１０）。つまり、専用ボタン１５ａが押されたという操作通知がなければ、状態報知に係る次の処理には進まない（ステップＳ１１のＮｏルート）。
【００４２】
そして、ＰＬＤ１６から専用ボタン１５ａの操作通知があると（ステップＳ１１のＹｅｓルート）、ＭＰＵ１４はＬＣＤ２０の異常が検出されているか否かを判断する（ステップ１２）。なお、ＭＰＵ１４は上述した図６に示す手順でＬＣＤ２０の異常を検出した場合にはＬＣＤ２０が異常状態（故障状態）であることを自身のメモリまたは外部メモリに保持している。
【００４３】
ここで、ＭＰＵ１４は、ＬＣＤ２０が正常であると判断すると（ステップＳ１２のＮｏルート）、状態報知に係る以降の処理は行なわず、即ち、音声による本無線通信装置１０の状態の報知処理を行なわずに、キー監視状態に戻る。
一方、ＭＰＵ１４は、ＬＣＤ２０が異常であると判断すると（ステップＳ１２のＹｅｓルート）、音声による本無線通信装置１０の状態報知を実行すべく、無線状態（通信モードや圏外／圏内等）や電池残量を記憶部２３あるいは他のメモリ等から読み出す（ステップＳ１３）。
【００４４】
このように、ＭＰＵ１４は、ＬＣＤ２０の異常が検出された場合には状態報知を実行し、ＬＣＤ２０の異常が未検出の場合には状態報知の実行を抑止する。即ち、報知部としてのＭＰＵ１４は、ＬＣＤ２０が異常であるか否かの検出結果に応じて専用ボタン１５ａの操作の有効及び無効を切り替えるよう構成されており、ＬＣＤ２０が正常であった場合には専用ボタン１５ａの操作を無効とし、ＬＣＤ２０が異常であった場合には専用ボタン１５ａの操作を有効とする。
【００４５】
続いて、ＭＰＵ１４は、読み出した無線状態や電池残量に対応する音声メッセージ［上記図５（ａ）〜（ｃ）参照］を記憶部２３から読み出す（ステップＳ１４）。
そして、ＭＰＵ１４は、読み出した音声メッセージをスピーカ１８から出力させ（ステップＳ１５）、上記ステップＳ１０の処理にリターンする。
【００４６】
このとき、ＭＰＵ１４はＡＩＵ１７及びスピーカ１８を制御して、現在の通信モード、基地局同期状態、電池残量に応じて、これらの内容を連続して通知させる。例えば、ＭＰＵ１４は「基地局通信モード、圏内、電池残量２」という音声をスピーカ１８から出力させる。
また、ＭＰＵ１４は、本無線通信装置１０がアイドル表示の無い専用ｃｈ通信中又は直接手動通信中には、受信音声を一旦停止して、報知内容（音声ガイダンス）をスピーカ１８から報知することが好ましい。
【００４７】
一方、ＭＰＵ１４は、本無線通信装置１０の通信モードが専用ｃｈ通信及び直接手動通信以外の場合には、アイドル表示でのみ、音声ガイダンスを流すことが好ましい。
例えばＭＰＵ１４は、ステップＳ１１，Ｓ１２の間、あるいは、ステップＳ１２，Ｓ１３の間に、現在の通信モードが専用ｃｈ通信中及び直接手動通信中以外の通信モードか否かを判断する。そして、現在の通信モードが専用ｃｈ通信中又は直接手動通信中であれば、受信音声を一旦停止して、報知内容をスピーカ１８から出力する（ステップＳ１３〜Ｓ１５）。
【００４８】
また、現在の通信モードが専用ｃｈ通信及び直接手動通信以外の場合には、ＭＰＵ１４は現在アイドル表示中であるか否かを判断してアイドル表示中の場合のみ、報知内容をスピーカ１８から出力する（即ち、上記ステップＳ１３〜Ｓ１５を実行する）。
なお、ＭＰＵ１４は現在の通信モードが専用ｃｈ通信及び直接手動通信以外の場合であって現在アイドル表示中ではなく通信中であれば、報知内容をスピーカ１８から出力しない（即ち、上記ステップＳ１３〜Ｓ１５を実行しない）。
【００４９】
以上のように、本無線通信装置１０の報知部は、現在の通信モードに応じて、状態報知の実施条件を変更するように構成されており、これにより、無線通信装置１０の状態報知が無線通信の妨げとならないようにしている。
【００５０】
このように、本発明の一実施形態としての無線通信装置１０によれば、ユーザによって専用ボタン１５ａが操作されると、ＭＰＵ１４に制御されてスピーカ１８が本無線通信装置１０の状態を報知するので、ユーザは本無線通信装置１０の状態を確実に把握することができる。その結果、ユーザは無線通信装置１０の状態を把握した上で、所望の操作を行うことができる。
【００５１】
特に、本無線通信装置１０は、検出部としてのＭＰＵ１４及び電流監視部２２がＬＣＤ２０の異常を検出した場合には、ＭＰＵ１４が専用ボタン１５ａの操作を有効に切り替えて無線通信装置１０の状態を報知する。これにより、ユーザはＬＣＤ２０が故障した場合、即ち、画面表示機能が動作しない場合であっても、専用ボタン１５ａを押下することにより無線通信装置１０の状態を確実に把握することができる。その結果、ユーザはＬＣＤ２０が故障した場合であっても、無線通信装置１０の状態を把握した上で、所望の操作を行うことができる。
【００５２】
また、ユーザは無線通信装置１０の状態として、現在の通信モード種別を把握することによって、例えば、どのような操作が有効であるかや、どの操作をすれば、どこに繋がるかを把握することができる。
さらに、ユーザは無線通信装置１０の状態として、圏内、圏外を知ることにより、基地局を介した基地局通信が可能であるか否かを把握することができる。
【００５３】
なお、ユーザは無線通信装置１０の状態として、電池残量を把握することによって、当該無線通信装置１０があとどれぐらい使用可能であるかを推測できる。
また、ユーザは無線通信装置１０の状態として、常設番号や電話帳の内容を把握することによって、所望の相手先に発呼することができる。
【００５４】
〔２〕本発明の変形例について 
なお、本発明は上述した実施形態に限定されるものではなく、本発明の趣旨を逸脱しない範囲で種々変形又は組み合わせて実施することができる。
〔２−１〕本発明の無線通信装置の適用システム及び無線通信装置の構成について
例えば、上述した実施形態では、無線通信装置１０が図１に示す無線システム１の無線通信装置である場合を例に挙げて説明した。しかし、本発明はこれに限定されるものではなく、種々の無線通信システムの無線通信装置に適用できる。なお、本発明の無線通信装置は上記図３に示す構成要素以外にも種々の構成要素を備えていてもよく、例えばＧＰＳ（Global Positioning System）を用いた位置検出手段を備えていてもよい。
【００５５】
さらに、上述した実施形態では、ＭＰＵ１４はドライバ２１の動作及び電流監視部２２からの通知に基づいて、ＬＣＤ２０の故障を検出するように構成した。しかし、本発明はこれに限定されるものではなく、例えばＭＰＵ１４がＬＣＤ２０内の温度に応じてＬＣＤ２０の異常を検出するように構成してもよい。つまり、本無線通信装置１０がＬＣＤ２０内の温度を検知する温度センサを備え、ＭＰＵ１４が温度センサによって検知された温度が所定温度内であるか否かに応じてＬＣＤ２０の異常を検出するように構成してもよい。これによっても上述した実施形態と同様の作用効果を得ることができる。
【００５６】
〔２−２〕報知内容について
また、上述した実施形態では、報知部としてのＭＰＵ１４，ＡＩＵ１７，及びスピーカ１８が、無線通信装置１０の状態として、通信モード，同期状態，及び電池残量を連続して報知する場合を例に挙げて説明した。しかし、本発明における報知部の報知内容はこれに限定されるものではなく、適宜、選択して組み合わせることができる。例えば、報知部による報知内容は、通信モード，同期状態，及び電池残量のいずれかであってもよいし、他に常設番号や電話帳の内容、あるいは、リダイヤルや着信履歴、もしくは、その多無線通信装置１０の設定情報であってもよい。
【００５７】
さらに、ＭＰＵ１４が、報知内容を上記の何れかから設定できるように構成し、ユーザが操作部１５を操作することによって、専用ボタン１５ａを操作して報知させる内容を選択できるように構成してもよい。
また、ＭＰＵ１４は、ＰＬＤ１６からの専用ボタン１５ａの操作通知の内容（種類）に応じて、報知内容を変更するように構成してもよい。つまり、本発明の報知部が、操作ボタン１５ａの操作態様に応じて無線通信装置１０の状態を変更して報知するように構成してもよい。
【００５８】
例えば、ユーザが専用ボタン１５ａを短押しした場合には、ＰＬＤ１６は専用ボタン１５ａが短押しされた旨をＭＰＵ１４に通知し、ユーザが専用ボタン１５ａを所定時間以上長押しした場合には、ＰＬＤ１６は専用ボタン１５ａが長押しされた旨をＭＰＵ１４に通知する。
そして、ＭＰＵ１４は、専用ボタン１５ａが短押しされた場合には、通信モード及び同期状態（通信状態）を連続して報知させる一方、専用ボタン１５ａが長押しされた場合には、電池残量（電源状態）を報知させる。なお、専用ボタン１５ａの操作態様に応じた報知内容は上述したものに限定されないことは言うまでもない。
【００５９】
〔２−３〕報知方法について
さらに、上述した実施形態では、本発明の報知部がＭＰＵ１４，ＡＩＵ１７，及びスピーカ１８によって実現され、報知方法として音声で無線通信装置１０の状態を報知する場合を例に挙げて説明した。しかし、本発明はこれに限定されるものではなく、ビープ音によって状態を通知してもよい。つまり、上記図５（ａ）〜（ｃ）に示す条件（無線通信装置１０の状態）に応じたビープ音の鳴動態様（鳴動パターン）を記憶部２３が予め保持しておき、ＭＰＵ１４がその無線通信装置１０の状態に応じたビープ音をスピーカ１８から鳴動させてもよい。
【００６０】
また、本発明の報知部による報知手段は音に限定されるものでもなく、振動や、発光色や、発光態様であってもよい。これらの場合も上記図５（ａ）〜（ｃ）に示す条件（無線通信装置１０の状態）に応じた報知態様（振動パターンや発光パターンや発光色）を記憶部２３が予め保持しておき、ＭＰＵ１４がその無線通信装置１０の状態に応じた報知内容を報知させる。
【００６１】
なお、本発明の報知部が、振動により無線通信装置１０の状態を報知する場合には、無線通信装置１０は報知部として複数のパターンで振動する振動部を備え、ＭＰＵ１４は無線通信装置１０の状態に対応した振動パターンを記憶部２３から読み出し、そのパターンで振動部を振動させる。
さらに、本発明の報知部が、発光パターンにより無線通信装置１０の状態を報知する場合には、無線通信装置１０は報知部として複数のパターンで発光する発光部を備え、ＭＰＵ１４は無線通信装置１０の状態に対応した発光パターンを記憶部２３から読み出し、そのパターンで発光部を発光させる。
【００６２】
また、本発明の報知部が、発光色により無線通信装置１０の状態を報知する場合には、無線通信装置１０は報知部として複数の色を発光する発光部を備え、ＭＰＵ１４は無線通信装置１０の状態に対応した発光色を記憶部２３から読み出し、その発光色で発光部を発光させる。
【００６３】
〔２−４〕その他
さらに、上述した実施形態において、ＭＰＵ１４がスピーカ１８からの出力音を抑止するマナーモードで無線通信装置１０を起動させるように構成してもよく、マナーモード中であっても無線通信装置１０の音声報知を実行するように構成してもよい。つまり、ＭＰＵ１４がスピーカ１８からの出力音を制御する制御部として機能し、報知部は上記制御部によってスピーカからの出力音が制限されたマナーモード状態であっても、専用ボタン１５ａの操作に応じて無線通信装置の状態を報知するように構成することが好ましい。
【００６４】
これによって、マナーモード中にＬＣＤ２０が壊れても、ユーザは専用ボタン１５ａを押下すれば、現在の無線通信装置１０の状態を確実に把握することができる。即ち、マナーモード中であるからと言って、状態報知の音声出力までもが制限されることを抑止でき、ユーザはいつでも無線通信装置１０の状態を把握することができるようになる。
また、上述した実施形態では、ＬＣＤ２０が異常（故障）であると判断した場合に専用ボタン１５ａの操作を有効にして、かかる場合にのみ無線通信装置１０の状態を報知するように構成した。しかし、本発明はこれに限定されるものではなく、報知部が、ＬＣＤ２０の状態（異常か否か）に係わらず、専用ボタン１５ａを操作されると無線通信装置１０の状態を報知するように構成してもよい。
【００６５】
これにより、ユーザは専用ボタン１５ａを押下するだけで、いつでも無線通信装置１０の状態を認識することができるようになる。
【図面の簡単な説明】
【００６６】
【図１】本発明の一実施形態に係る無線通信装置が適用される無線通信システムの一例を説明するための図である。
【図２】図１に示す無線通信システムにおける無線通信装置の無線通信の種類を説明する図である。
【図３】本発明の一実施形態としての無線通信装置の機構構成の一例を示すブロック図である。
【図４】本発明の一実施形態としての無線通信装置の一例を示す外観斜視図である。
【図５】本発明の一実施形態としての無線通信装置の記憶部が記憶する報知内容と条件との対応例を示す図であり、（ａ）は通信モードに係る図であり、（ｂ）は基地局同期状態に係る図であり、（ｃ）は電池残量に係る図である。
【図６】本発明の一実施形態としての無線通信装置のＬＣＤの異常検出手順例を示すフローチャートである。
【図７】本発明の一実施形態としての無線通信装置の状態報知の動作手順例を示すフローチャートである。
【図８】従来の無線通信装置の表示画面に表示されるアイコンの例を示す図であり、（ａ）は電池アイコンを示し、（ｂ）は電波アイコンを示し、（ｃ）は圏外アイコンを示し、（ｄ）は直接通信アイコンを示している。
【符号の説明】
【００６７】
１  無線通信システム
２  統制局
２ａ  回線制御装置
２ｂ  ＰＢＸ
２ｃ  統制台
３−１，３−２  基地局
３ａ  無線装置
３ｂ  制御装置
４−１〜４−１０  移動局
５  半固定局
６  固定局
１０  無線通信装置
１１  アンテナ
１２  無線部
１３  信号処理部
１４  ＭＰＵ（検出部，制御部）
１５  操作部
１５ａ  専用ボタン（専用の操作部）
１６  ＰＬＤ
１７  ＡＩＵ
１８  スピーカ（出力部）
１９  マイク
２０  ＬＣＤ（表示部）
２１  ドライバ
２２  電流監視部（検出部）
２３  記憶部
２４  電池残量検出部
２５  操作スイッチ
２６  アンテナコネクタ
【図１】
2010153996.tif 000003
【図２】
2010153996.tif 000004
【図３】
2010153996.tif 000005
【図４】
2010153996.tif 000006
【図５】
2010153996.tif 000007
【図６】
2010153996.tif 000008
【図７】
2010153996.tif 000009
【図８】
2010153996.tif 000010